【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
画像出力装置で出力する印刷ジョブを処理する印刷処理装置において、
画像データおよびページ番号付与の指定内容を受け付ける受付手段と、
前記受付手段で受け付けた画像データに基づき、印刷画像を生成する印刷画像生成手段と、
前記受付手段で受け付けたページ番号付与の指定内容に基づき、ページ番号データを作成するページ番号データ作成手段と、
前記ページ番号データ作成手段で作成したページ番号データに基づき、ページ番号の画像データを生成するページ番号画像データ生成手段と、
前記ページ番号画像データ生成部で生成したページ番号の画像データを、前記ページ番号データに従って、前記印刷画像生成手段で生成した印刷画像に合成するページ番号画像データ合成手段と、
前記ページ番号画像データ合成手段で合成したページ番号付きの印刷画像に基づき、印刷ジョブを作成する印刷ジョブ作成手段と、
前記印刷ジョブ作成手段で作成した印刷ジョブを前記画像出力装置に送信する印刷ジョブ送信手段と
を具備することを特徴とする印刷処理装置。
【請求項２】
前記ページ番号付与の指定内容は、
ページ番号開始ページ、開始ページ番号、フォント、フォントサイズおよびページ番号付与位置であり、
前記ページ番号画像データ生成部は、
前記開始ページ番号、前記フォントおよび前記フォントサイズに従って、前記ページ番号の画像データを生成し、
前記ページ番号画像データ合成手段は、
前記ページ番号開始ページおよびページ番号付与位置に従って、前記ページ番号の画像データを前記印刷画像に合成する
ことを特徴とする請求項１記載の印刷処理装置。
【請求項３】
前記ページ番号画像データ合成手段は、
前記印刷画像の出力指定に従って、前記ページ番号の画像データを前記印刷画像に合成する
ことを特徴とする請求項１記載の印刷処理装置。
【請求項４】
前記印刷画像と前記ページ番号データとを関連付けて保存する保存手段
を更に具備することを特徴とする請求項１記載の印刷処理装置。
【請求項５】
前記保存手段に保存された印刷画像を出力する場合、
前記ページ番号画像データ生成手段は、
前記印刷画像と関連付けられたページ番号データに基づき、前記ページ番号の画像データを生成し、
前記ページ番号画像データ合成手段は、
前記ページ番号画像データ生成手段で生成したページ番号の画像データを前記印刷画像に合成し、
前記ページ番号画像合成手段で合成したページ番号付きの印刷画像の印刷ジョブを前記画像装置に送信する
ことを特徴とする請求項４記載の印刷処理装置。
【請求項６】
前記保存手段に保存された印刷画像を出力する際に、前記受付手段が該印刷画像と関連付けられたページ番号データとは異なるページ番号付与の指定内容を受け付けた場合、
前記ページ番号データ作成手段は、
前記受付手段で受け付けたページ番号付与の指定内容に基づき、前記ページ番号データを作成し、
前記ページ番号データ作成手段で作成したページ番号データに基づいて生成したページ番号の画像データを合成した印刷画像の印刷ジョブを前記画像出力装置に送信する
ことを特徴とする請求項５記載の印刷処理装置。
【請求項７】
前記画像出力装置におけるページ番号付与機能の有無を確認する画像出力装置制御手段
を更に具備し、
前記画像出力装置にページ番号付与機能が無い場合、前記ページ番号の画像データを合成した印刷画像の印刷ジョブを該画像出力装置に送信し、
前記画像出力装置にページ番号付与機能が有る場合、前記ページ番号の画像データを印刷画像に合成せずに、該印刷画像の印刷ジョブを該画像出力装置に送信する
ことを特徴とする請求項１記載の印刷処理装置。
【請求項８】
前記画像出力装置制御手段は、
出力先として複数の画像出力装置が指定された際に、該出力先として指定された全画像出力装置におけるページ番号付与機能の有無を確認し、
前記全画像出力装置に同一のページ番号付与機能が無い場合、前記ページ番号の画像データを合成した印刷画像の印刷ジョブを該全画像出力装置に送信し、
前記全画像出力装置に同一のページ番号付与機能が有る場合、前記ページ番号の画像データを印刷画像に合成せずに、該印刷画像の印刷ジョブを該全画像出力装置に送信する
ことを特徴とする請求項７記載の印刷処理装置。
【請求項９】
画像出力装置で出力する印刷ジョブを処理する印刷処理プログラムにおいて、
画像データおよびページ番号付与の指定内容を受け付ける処理と、
該受け付けた画像データに基づき、印刷画像を生成する処理と、
該受け付けたページ番号付与の指定内容に基づき、ページ番号データを作成する処理と、
該作成したページ番号データに基づき、ページ番号の画像データを生成する処理と、
該生成したページ番号の画像データを、前記ページ番号データに従って、前記生成した印刷画像に合成する処理と、
該合成したページ番号付きの印刷画像に基づき、印刷ジョブを作成する処理と、
該作成した印刷ジョブを前記画像出力装置に送信する処理と
をコンピュータに動作させることを特徴とする印刷処理プログラム。
【請求項１０】
前記ページ番号付与の指定内容は、
ページ番号開始ページ、開始ページ番号、フォント、フォントサイズおよびページ番号付与位置であり、
前記開始ページ番号、前記フォントおよび前記フォントサイズに従って、前記ページ番号の画像データを生成する処理と、
前記ページ番号開始ページおよびページ番号付与位置に従って、前記ページ番号の画像データを前記印刷画像に合成する処理と
をコンピュータに動作させることを特徴とする請求項９記載の印刷処理プログラム。
【請求項１１】
前記印刷画像の出力指定に従って、前記ページ番号の画像データを前記印刷画像に合成する
ことを特徴とする請求項９記載の印刷処理プログラム。
【請求項１２】
前記印刷画像と前記ページ番号データとを関連付けて保存する処理
をコンピュータに動作させることを特徴とする請求項９記載の印刷処理プログラム。
【請求項１３】
前記保存された印刷画像を出力する場合、
前記印刷画像と関連付けられたページ番号データに基づき、前記ページ番号の画像データを生成する処理と、
該生成したページ番号の画像データを前記印刷画像に合成する処理と、
該合成したページ番号付きの印刷画像の印刷ジョブを前記画像装置に送信する処理と
をコンピュータに動作させることを特徴とする請求項１２記載の印刷処理プログラム。
【請求項１４】
前記保存された印刷画像を出力する際に、該印刷画像と関連付けられたページ番号データとは異なるページ番号付与の指定内容を受け付けた場合、
該受け付けたページ番号付与の指定内容に基づき、前記ページ番号データを作成する処理と、
該作成したページ番号データに基づいて生成したページ番号の画像データを合成した印刷画像の印刷ジョブを前記画像出力装置に送信する処理と
をコンピュータに動作させることを特徴とする請求項１３記載の印刷処理プログラム。
【請求項１５】
前記画像出力装置におけるページ番号付与機能の有無を確認する処理と、
前記画像出力装置にページ番号付与機能が無い場合、前記ページ番号の画像データを合成した印刷画像の印刷ジョブを該画像出力装置に送信する処理と、
前記画像出力装置にページ番号付与機能が有る場合、前記ページ番号の画像データを印刷画像に合成せずに、該印刷画像の印刷ジョブを該画像出力装置に送信する処理と
をコンピュータに動作させることを特徴とする請求項９記載の印刷処理プログラム。
【請求項１６】
出力先として複数の画像出力装置が指定された際に、該出力先として指定された全画像出力装置におけるページ番号付与機能の有無を確認する処理と、
前記全画像出力装置に同一のページ番号付与機能が無い場合、前記ページ番号の画像データを合成した印刷画像の印刷ジョブを該全画像出力装置に送信する処理と、
前記全画像出力装置に同一のページ番号付与機能が有る場合、前記ページ番号の画像データを印刷画像に合成せずに、該印刷画像の印刷ジョブを該全画像出力装置に送信する処理と
をコンピュータに動作させることを特徴とする請求項１５記載の印刷処理プログラム。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
また、請求項９の発明は、画像出力装置で出力する印刷ジョブを処理する印刷処理プログラムにおいて、画像データおよびページ番号付与の指定内容を受け付ける処理と、該受け付けた画像データに基づき、印刷画像を生成する処理と、該受け付けたページ番号付与の指定内容に基づき、ページ番号データを作成する処理と、該作成したページ番号データに基づき、ページ番号の画像データを生成する処理と、該生成したページ番号の画像データを、前記ページ番号データに従って、前記生成した印刷画像に合成する処理と、該合成したページ番号付きの印刷画像に基づき、印刷ジョブを作成する処理と、該作成した印刷ジョブを前記画像出力装置に送信する処理とをコンピュータに動作させることを特徴とする。
【手続補正１１】
【補正対象書類名】明細書
【補正対象項目名】００２８
【補正方法】変更
【補正の内容】
【００２８】
また、請求項１０の発明は、請求項９の発明において、前記ページ番号付与の指定内容は、ページ番号開始ページ、開始ページ番号、フォント、フォントサイズおよびページ番号付与位置であり、前記開始ページ番号、前記フォントおよび前記フォントサイズに従って、前記ページ番号の画像データを生成する処理と、前記ページ番号開始ページおよびページ番号付与位置に従って、前記ページ番号の画像データを前記印刷画像に合成する処理とをコンピュータに動作させることを特徴とする。
【手続補正１２】
【補正対象書類名】明細書
【補正対象項目名】００２９
【補正方法】変更
【補正の内容】
【００２９】
また、請求項１１の発明は、請求項９の発明において、前記印刷画像の出力指定に従って、前記ページ番号の画像データを前記印刷画像に合成することを特徴とする。
【手続補正１３】
【補正対象書類名】明細書
【補正対象項目名】００３０
【補正方法】変更
【補正の内容】
【００３０】
また、請求項１２の発明は、請求項９の発明において、前記印刷画像と前記ページ番号データとを関連付けて保存する処理をコンピュータに動作させることを特徴とする。
【手続補正１４】
【補正対象書類名】明細書
【補正対象項目名】００３１
【補正方法】変更
【補正の内容】
【００３１】
また、請求項１３の発明は、請求項１２の発明において、前記保存された印刷画像を出力する場合、前記印刷画像と関連付けられたページ番号データに基づき、前記ページ番号の画像データを生成する処理と、該生成したページ番号の画像データを前記印刷画像に合成する処理と、該合成したページ番号付きの印刷画像の印刷ジョブを前記画像装置に送信する処理とをコンピュータに動作させることを特徴とする。
【手続補正１５】
【補正対象書類名】明細書
【補正対象項目名】００３２
【補正方法】変更
【補正の内容】
【００３２】
また、請求項１４の発明は、請求項１３の発明において、前記保存された印刷画像を出力する際に、該印刷画像と関連付けられたページ番号データとは異なるページ番号付与の指定内容を受け付けた場合、該受け付けたページ番号付与の指定内容に基づき、前記ページ番号データを作成する処理と、該作成したページ番号データに基づいて生成したページ番号の画像データを合成した印刷画像の印刷ジョブを前記画像出力装置に送信する処理とをコンピュータに動作させることを特徴とする。
【手続補正１６】
【補正対象書類名】明細書
【補正対象項目名】００３３
【補正方法】変更
【補正の内容】
【００３３】
また、請求項１５の発明は、請求項９の発明において、前記画像出力装置におけるページ番号付与機能の有無を確認する処理と、前記画像出力装置にページ番号付与機能が無い場合、前記ページ番号の画像データを合成した印刷画像の印刷ジョブを該画像出力装置に送信する処理と、前記画像出力装置にページ番号付与機能が有る場合、前記ページ番号の画像データを印刷画像に合成せずに、該印刷画像の印刷ジョブを該画像出力装置に送信する処理とをコンピュータに動作させることを特徴とする。
【手続補正１７】
【補正対象書類名】明細書
【補正対象項目名】００３４
【補正方法】変更
【補正の内容】
【００３４】
また、請求項１６の発明は、請求項１５の発明において、出力先として複数の画像出力装置が指定された際に、該出力先として指定された全画像出力装置におけるページ番号付与機能の有無を確認する処理と、前記全画像出力装置に同一のページ番号付与機能が無い場合、前記ページ番号の画像データを合成した印刷画像の印刷ジョブを該全画像出力装置に送信する処理と、前記全画像出力装置に同一のページ番号付与機能が有る場合、前記ページ番号の画像データを印刷画像に合成せずに、該印刷画像の印刷ジョブを該全画像出力装置に送信する処理とをコンピュータに動作させることを特徴とする。